(57)【要約】【課題】  化粧カバーを用いず、また非常にシンプルな構成でありながら、ビス等の固着具を視界に入らなくできる手摺り固定具を提供する。【解決手段】  壁面１２に固定されて手摺り棒４を支持する手摺り固定具１である。直方体状の固定具本体２の基端となる端面を壁当接面２ａとし、先端上部に、内面が摺り棒４の断面のうちの下部を含む一部が隙間なく嵌まり合う接触面３となる切り欠き部３Ａを設ける。前記接触面３の手摺り棒４で隠れる部分から貫通する軸状の固着具５により固定具本体２を壁面１２に固定する。固定具本体２の下面から貫通する他の軸状の固着具６により、手摺り棒４を前記接触面３に固定する。【選択図】      図２
2014163063.tif 000002
【特許請求の範囲】
【請求項１】
壁面に固定されて手摺り棒を支持する手摺り固定具であって、
直方体状の固定具本体の基端となる端面を前記壁面に当接させる壁当接面とし、前記固定具本体の先端上部に、内面が前記手摺り棒の断面のうちの下部を含む一部が隙間なく嵌まり合う接触面となる切り欠き部を設け、前記接触面の前記手摺り棒で隠れる部分から前記壁当接面に貫通する軸状の固着具により前記固定具本体を前記壁面に固定し、前記固定具本体の下面から前記接触面に貫通する他の軸状の固着具により前記手摺り棒を前記接触面に固定することを特徴とする手摺り固定具。
【請求項２】
請求項１に記載の手摺り固定具において、前記固定具本体が木製であり、この固定具本体に、前記各固着具を挿通する固着具挿通孔を有する手摺り固定具。
【発明の詳細な説明】
【技術分野】
【０００１】
この発明は、住宅やその他の各種の建物の壁面に固定されて手摺り棒を支持する手摺り固定具に関する。
【背景技術】
【０００２】
一般的な手摺り固定具は、ビスやボルトを用いて固定を行うものが多い。ビスやボルトは、後付けの化粧カバーで隠したり、複雑な加工や部材構成によって、固定部分を隠している（特許文献１〜３）。ビスやボルト固定を行わずに固定する方法としては、溶接や接着といった方法も考えられる。
【先行技術文献】
【特許文献】
【０００３】
【特許文献１】特開２００５−０７６３５３号公報
【特許文献２】実公平０７−０３４０９６号公報
【特許文献３】特許第３７２０７８３号公報
【発明の概要】
【発明が解決しようとする課題】
【０００４】
上記の化粧カバーでビスやボルトを隠すものは、固定具本体の他に化粧カバーが必要となり、一般的には樹脂製のカバーを製造するために、別途に金型が必要となって開発コストがかかる。上記複数の構成部材を組み合わせてビスやボルトを隠すものは、構成部材の開発コストに加えて、施工方法も煩雑となる不利が生じる。溶接や接着によって壁面に固定するようにした手摺り固定具では、壁面から取り外すことができなくなる。
【０００５】
この発明の目的は、化粧カバーを用いず、また非常にシンプルな構成でありながら、ビス等の固着具を視界に入らなくできる手摺り固定具を提供することである。
【課題を解決するための手段】
【０００６】
この発明の手摺り固定具は、壁面に固定されて手摺り棒を支持する手摺り固定具であって、直方体状の固定具本体の基端となる端面を前記壁面に当接させる壁当接面とし、前記固定具本体の先端上部に、内面が前記手摺り棒の断面のうちの下部を含む一部が隙間なく嵌まり合う接触面となる切り欠き部を設け、前記接触面の前記手摺り棒で隠れる部分から前記壁当接面に貫通する軸状の固着具により前記固定具本体を前記壁面に固定し、前記固定具本体の下面から前記接触面に貫通する他の軸状の固着具により前記手摺り棒を前記接触面に固定することを特徴とする。前記軸状の固着具は、ビス，ボルト、ねじ釘、釘等である。
【０００７】
この構成によると、固定具本体を壁面に固定する固着具、および手摺り棒を固定具本体に固定する固着具は、いずれも切り欠き部内の手摺り棒が隙間なく嵌まって隠れる接触面部分に設けられるため、人の視界に入らない。手摺り棒を固定具本体に固定する固着具は固定具本体の下面に露出するが、手摺り棒が設置された階段や廊下を通る人の目よりも低い位置であって手摺り棒の下面であるため、人の視界に入らない。
このように、固着具が人の視界に入らない構成でありなが、固着具を別として他には固定具本体だけの単一部材で構成され、この固定具本体についても、直方体状であって手摺り棒を嵌め合う切り欠き部を設けただけの、あるいはこれに固着具の挿通孔を加えただけの非常にシンプルな形状，構造となる。そのため、樹脂成形品に限らず、木部材の加工品によっても実現可能である。このように部品点数が少なく、かつその部品も簡素な形状で加工が容易であるため、量産数が多く見込めない場合であっても、比較的低コストでかつ意匠性の高いものと出来る。また、軸状の固着具を用いるため、手摺り棒や固定具本体を取り外すこともできる。
【０００８】
この発明において、前記固定具本体が木製であり、この固定具本体に、前記各固着具を挿通する固着具挿通孔を有していても良い。前記固着具挿通孔は、固定具本体を貫通していても良く、また必ずしも貫通していなくても良い。また、固着具挿通孔は、固着具の頭部を納める座繰りを有していても良い。
固定具本体が木製であると、樹脂成形品と異なり、成形用の金型が不要であるため、量産数が少ない場合にも安価に製造できる。固定具本体は、直方体状であって切り欠き部と固着具挿通孔を設けただけの非常にシンプルな形状であるため、木製であっても容易に加工することができる。
【発明の効果】
【０００９】
この発明の手摺り固定具は、壁面に固定されて手摺り棒を支持する手摺り固定具であって、直方体状の固定具本体の基端となる端面を前記壁面に当接させる壁当接面とし、前記固定具本体の先端上部に、内面が前記手摺り棒の断面のうちの下部を含む一部が隙間なく嵌まり合う接触面となる切り欠き部を設け、前記接触面の前記手摺り棒で隠れる部分から前記壁当接面に貫通する軸状の固着具により前記固定具本体を前記壁面に固定し、前記固定具本体の下面から前記接触面に貫通する他の軸状の固着具により前記手摺り棒を前記接触面に固定したため、化粧カバーを用いず、また非常にシンプルな構成でありながら、ビス等の固着具が視界に入らず、意匠性に優れたものとなる。また、非常にシンプルな構成であるため、量産数が少ない場合であっても、安価に製造できる。
【図面の簡単な説明】
【００１０】
【図１】この発明の第１の実施形態にかかる手摺り固定具を用いた階段用手摺の設置例を示す斜視図である。
【図２】同階段用手摺を示す破断側面図である。
【図３】同階段用手摺の設置工程を示す説明図である。
【図４】この発明の他の実施形態にかかる手摺り固定具を用いた階段用手摺を示す破断側面図である。
【図５】同手摺り固定具の斜視図である。
【図６】同手摺り固定具を用いた階段用手摺の設置例を示す斜視図である。
【図７】この発明のさらに他の実施形態にかかる手摺り固定具を用いた階段用手摺を示す断面図である。
【図８】同手摺り固定具の斜視図である。
【図９】同手摺り固定具を用いた階段用手摺の設置例を示す斜視図である。
【発明を実施するための形態】
【００１１】
この発明の第１の実施形態を図１ないし図３と共に説明する。この手摺り固定具は、建物の階段や廊下の壁面に固定されて手摺り棒を支持するものである。図１に、この手摺り固定具１を用いて手摺り棒４を支持した階段用手摺１０を、階段１１の壁面１２に沿って設置した例を斜視図で示す。手摺り棒４は、この例では断面形状が長方形の棒材とされている。
【００１２】
図２は、前記階段用手摺１０の断面図を示す。固定具本体２は直方体状であり、基端となる端面が壁面１２に当接させる壁当接面２ａとされ、先端上部に、内面が前記手摺り棒４の断面のうちの下部となる一部が隙間なく嵌まり合う接触面３となる切り欠き部３Ａが設けられている。切り欠き部３Ａの断面形状、すなわち接触面３の断面形状は、長方形断面の手摺り棒４の断面形状に対応して断面Ｌ字状とされている。固定具本体２の材質は、木または合成樹脂である。木製とする場合、ソリッド材であっても、また合板や集成材であっても良い。
【００１３】
固定具本体２には、前記断面Ｌ字状の接触面３における縦面となる接触面部３ａから壁当接面２ａに貫通して、複数本の横方向の固着具挿通孔８が設けられ、また接触面３における横面となる接触面部３ｂから先端下面に貫通して複数本の縦方向の固着具挿通孔９が設けられている。前記各接触面部３ａ，３ｂは、いずれも、切り欠き部３Ａに手摺り棒４が嵌合することでこの手摺り棒４に隠れる部分である。これらの固着具挿通孔８，９に、軸状の固着具５，６がそれぞれ挿通される。これら固着具５，６は、ビス、タッピングビス、ボルト、ねじ釘、または釘である。前記横方向の固着具貫通孔８は、接触面部３ａへの開口回りに、固着具５の頭部が嵌まる座繰り（図示せず）が設けられていても良く、また縦方向の固着具貫通孔９は、下端の開口回りに固着具６の頭部が嵌まる座繰り（図示せず）が設けられていても良い。なお、縦方向の固着具６に対しては、貫通長さが短いため、必ずしも固着具貫通孔９は設けなくても良く、挿通させる位置のマークや固着具先端を案内する案内凹部（図示せず）を設けるようにしても良い。
【００１４】
図３は、この階段用手摺１０の設置手順を示す。先ず、固定具本体２の壁当接面２ａを壁面１２に当接させ、図３（Ａ）のように、固着具挿通孔８に挿通した固着具５により、固定具本体２を壁面１２に固定する。なお、固定具本体２は、手摺り棒４を設置する傾斜に合わせて傾斜して壁面１２に固定する。
次に、図３（Ｂ）のように、固定具本体２の接触面３に手摺り棒４の下部を嵌合させる。この手摺り棒４を、図３（Ｃ）のように固定具本体２の下面２ｂから固着具挿通孔９に挿入した固着具６により、固定具本体２に固定する。
【００１５】
この構成の手摺り固定具１によると、固定具本体２を壁面に固定する固着具５、および手摺り棒４を固定具本体２に固定する固着具６は、いずれも切り欠き部３Ａ内の手摺り棒４が隙間なく嵌まって隠れる接触面部３ａ，３ｂに挿通して設けられるため、人の視界に入らない。手摺り棒４を固定具本体４に固定する縦方向の固着具６は下端が固定具本体２の下面に露出するが、階段１１を通る人の目よりも低い位置であって手摺り棒４の下面であるため、階段１１を通る人の視界に入らない。
この手摺り固定具１は、このように固着具５，６が人の視界に入らない構成でありなが、固着具５，６を別として他には固定具本体２だけの単一部材で構成され、この固定具本体２についても、直方体状であって手摺り棒４と嵌め合う切り欠き部３Ａと固着具挿通孔８，９を設けただけの非常にシンプルな形状，構造となる。そのため、樹脂成形品に限らず、木部材の加工品によっても実現可能である。このように部品点数が少なく、かつその部品も簡素な形状で加工が容易であるため、量産数が多く見込めない場合であっても、比較的低コストでかつ意匠性の高いものと出来る。
【００１６】
図４ないし図６は、この発明の他の実施形態を示す。この実施形態の手摺り固定具１では、図１〜図３で示した実施形態において、固定具本体２の先端上部に形成される切り欠き部３Ａ、すなわち接触面３を、断面が円形の手摺り棒４を支持できるように、その手摺り棒４の断面の下部と隙間なく嵌まり合う断面円弧形状としている。この接触面３のうちの壁面１２に背を向く接触面部３ａ′から壁当接面２ａに貫通して固着具挿通孔８を設け、また上方を向く接触面部３ｂ′から下面に貫通して固着具挿通孔が設けられている。
固定具本体２を固着具５で壁面１２に固定すること、および固定具本体２の接触面３に嵌合させた手摺り棒４を固着具６で固定具本体２に固定することは、第１の実施形態の場合と同様である。
【００１７】
図７ないし図９は、この発明のさらに他の実施形態を示す。この実施形態の手摺り固定具１は、図７に示すように、断面の下半部が方形で上半部が非方形の手摺り棒４を支持するのに用いられている。手摺り固定具１自体の構成は、図１〜図３で示した第１の実施形態のものと同じである。
このように、単純な角形断面のみでなく、様々な形状の手摺り棒４に対応できる。また手摺り棒４の下部が角形であれば、同じ形状の固定具本体２を様々な形状の手摺り棒４に用いることができる。
【００１８】
これら図４〜図６に示す実施形態、および図７〜図９に示す実施形態においても、第１の実施形態につき説明したと同様に、化粧カバーを用いず、また非常にシンプルな構成でありながら、ビス等の固着具５，６が視界に入らず、意匠性に優れたものとなる。また、非常にシンプルな構成であるため、量産数が少ない場合であっても、安価に製造できる。      
【００１９】
なお、固着具５，６にボルトやビスを用いる場合、相手部材となる壁面１２や手摺り棒４等に埋め込みナット（図示せず）を設けておいても良い。
【符号の説明】
【００２０】
１…手摺り固定具
２…固定具本体
２ａ…壁当接面
２ｂ…下面
３…接触面
３ａ，３ｂ…接触面部
３Ａ…切り欠き部
４…手摺り棒
５，６…固着具
８，９…固着具挿通孔
１０…階段用手摺
１２…壁面
【図１】
2014163063.tif 000003
【図２】
2014163063.tif 000004
【図３】
2014163063.tif 000005
【図４】
2014163063.tif 000006
【図５】
2014163063.tif 000007
【図６】
2014163063.tif 000008
【図７】
2014163063.tif 000009
【図８】
2014163063.tif 000010
【図９】
2014163063.tif 000011